(57)【要約】【課題】カードに記録された映像を再生し画像表示部にそれを表示すると同時に、撮像部で捕らえた映像をもうひとつの画像表示部で確認しながら磁気記録することができなかった。【解決手段】カード７に蓄えられた画像を第１の画像表示部５に表示しながら、撮像部１で撮像された被写体の映像を第２の画像表示部６に表示しながら磁気記録することができる。また、カード７に記録された映像信号を第１の画像表示部５に表示させ、テープ８に記録された映像信号を第２の画像表示部６に表示させることもできる。さらに、テープ８に記録された映像信号を再生して第２の画像表示部６に表示させ、撮像部１で撮像された被写体映像をカード７に記録するとともに第１の画像表示部５に表示させることができる。【選択図】  図１
2004320505.tif 000002
【特許請求の範囲】
【請求項１】
第１及び第２の記録媒体に信号を記録再生可能な撮像装置であって、被写体映像を撮像する撮像手段と、前記第１の記録媒体に信号を記録再生する第１の記録再生手段と、前記第２の記録媒体に信号を記録再生する第２の記録再生手段と、前記撮像手段からの信号を前記第１または第２の記録再生手段に選択的に出力する選択手段と、前記第１の記録再生手段で再生された信号または前記撮像手段で撮像した信号を表示する第１の表示手段と、前記第２の記録再生手段で再生された信号または前記撮像手段で撮像した信号を表示する第２の表示手段とを備え、
前記第１の記録媒体から画像信号を再生し第１の表示手段に表示するのと同時に、前記第２の記録媒体に前記撮像手段からの画像信号を記録するとともに第２の表示手段に表示可能なことを特徴とする撮像装置。
【請求項２】
第２の記録媒体に記録された画像信号を再生し第２の表示手段に表示するのと同時に、第１の記録媒体に撮像手段からの画像信号を記録するとともに第１の表示手段に表示可能なことを特徴とする請求項１記載の撮像装置。
【請求項３】
第１の記録媒体と第２の記録媒体とを同時に再生し、それぞれ第１及び第２の表示手段に表示可能なことを特徴とする請求項１記載の撮像装置。
【請求項４】
撮像部と、カード記録再生部と、磁気記録再生部と、前記カード記録再生部の処理する画像を表示する画像表示部と、カード記録再生部からの信号を前記画像表示部に適した信号にするための信号処理部と、前記磁気記録再生部の処理する画像を表示する画像表示部と、磁気記録記録再生部からの信号を前記画像表示部に適した信号にするための信号処理部と、撮像部からの信号をカード記録再生部と磁気記録再生部のどちらかのブロックにおくるかを切り替える信号切換え部とを備えたことを特徴とする撮像装置。
【請求項５】
カード記録再生部は、カード再生時に画像表示部へ単独で映像信号を送るようになっているとともに、磁気記録再生部は磁気記録時に画像表示部へ送ることも同時にできるようになっていることを特徴とする請求項４記載の撮像装置。
【発明の詳細な説明】
【０００１】
【発明の属する技術分野】
本発明は、ビデオカメラやデジタルスチルカメラなどの撮像装置に関するものである。
【０００２】
【従来の技術】
近年、撮像装置は磁気記録再生の機能にくわえてカード記録再生機能を搭載するようになっており、そのカード記録再生機能の向上が進んでいる。
【０００３】
以下に従来の撮像装置について説明する。
【０００４】
撮像装置の一例としてビデオカメラを用いて、基本構成を説明する。図３はビデオカメラの外観構成を示す斜視図である。図３において、３１はビデオカメラ本体、３２はビデオカメラ本体３１に対して開閉自在に設けられた第１の表示部である液晶表示部（以下、ＬＣＤと記す）で、一般には２〜４型程度の大型の液晶画面が設けられている。３３はビデオカメラ本体３１に対して収納自在に設けられた第２の表示部である電子ビューファインダ（以下、ＥＶＦと記す）で、一般にはＬＣＤ３２よりも小型の液晶表示画面が設けられている。これらＬＣＤ３２とＥＶＦ３３には映像信号を表示することができる。このように、近年の一般的なビデオカメラには、表示部が２個設けられており、用途に応じて選択使用することができるようになっている。なお、本例ではビデオカメラを用いて説明したが、デジタルスチルカメラであってもよい。
【０００５】
次に、従来の撮像装置について説明する。
【０００６】
従来の撮像装置を図２に示す。図２は従来の撮像装置のブロック図を示すものである。図２において、１はレンズや絞りや固体撮像素子などからなる撮像部で、入射される被写体の光学信号を電気信号（映像信号）に変換して出力している。２は撮像部１から出力される映像信号をカード７に記録したりカード７から映像信号を再生可能なカード記録再生部で、カード７に記録再生可能なデータは動画でも静止画でもよい。３は撮像部１からの映像信号をテープ８に記録したりテープ８から映像信号を再生する磁気記録再生部で、記録再生されるデータは主に動画であるが静止画であってもよい。またテープ８に記録する信号を映像信号に特定したが、音声信号を含むものでもよい。４は撮像部１やカード記録再生部２や磁気記録再生部３から出力される映像信号を第１及び第２の画像表示部５及び６に対して表示制御する表示制御部、５は第１の画像表示部で、ビデオカメラで例えれば、大型の液晶表示部に相当する。６は第２の画像表示部で、ビデオカメラで例えれば電子ビューファインダに相当する。なお第１の画像表示部５を電子ビューファインダ、第２の画像表示部６を液晶表示部としてもよい。７は映像信号などを記録再生可能な媒体であるメモリカードからなるカード、８は映像信号などを記録再生可能なテープ状の記録媒体であるテープである。
【０００７】
以上のように構成された従来の撮像装置について、以下その動作について説明する。
【０００８】
まず、撮像部１で捕らえた映像をテープ８に記録する場合、第１の画像表示部５または第２の画像表示部６のいずれか一方に表示したり、あるいは第１の画像表示部５と第２の画像表示部６に同時に同じ画像を表示して、被写体を確認しながら撮影することができる。
【０００９】
また、撮像部１で捕らえた映像をカード７に記録する場合も同様に、第１の画像表示部５または第２の画像表示部６のいずれか一方に表示したり、あるいは第１の画像表示部５と第２の画像表示部６の両方に同時に被写体を表示して、被写体を確認することができる。
【００１０】
一方、カード７またはテープ８の再生画像の確認は、第１の画像表示部５または第２の画像表示部６のいずれか一方に再生画像を表示するか、あるいは第１の画像表示部５と第２の画像表示部６の両方に再生画像を表示させて確認することができる。
【００１１】
【特許文献１】
特開２００１−１８６３９６号公報
【００１２】
【発明が解決しようとする課題】
しかしながら上記の従来の構成では、テープ８に記録するときの映像を表示するブロックとカード７を再生するときの映像を表示するブロックが重なっている、つまり、表示制御部４のみで第１及び第２の表示部５及び６を制御しているので、カード７に記録された映像を第１の画像表示部５で再生表示すると同時に、撮像部で捕らえた映像を第２の画像表示部６で確認しながら磁気記録するということができないという問題点を有していた。
【００１３】
例えば、撮影者自身がカード７に蓄えられた情報（シナリオやプログラム）を第１の表示部５に表示させて、それを見ながら第２の表示部６に撮影映像を表示させながらテープ８に記録することや、被写体となる人にカード７に記録された映像（赤ちゃんが被写体の場合、赤ちゃんの興味を引く映像など）を第１の表示部５で見てもらいながら、撮影者が第２の表示部６で被写体を確認しつつ撮影することができるなど、ビデオカメラの使い方を広げることができない。
【００１４】
本発明は上記従来の問題点を解決するもので、カード７に記録された映像を再生し画像表示部５にそれを表示すると同時に、撮像部１で捕らえた映像を画像表示部６で確認しながらテープ８へ磁気記録できるようにした撮像装置を提供することを目的とする。
【００１５】
【課題を解決するための手段】
この目的を達成するために本発明の撮像装置は、第１及び第２の記録媒体に信号を記録再生可能な撮像装置であって、被写体映像を撮像する撮像手段と、前記第１の記録媒体に信号を記録再生する第１の記録再生手段と、前記第２の記録媒体に信号を記録再生する第２の記録再生手段と、前記撮像手段からの信号を前記第１または第２の記録再生手段に選択的に出力する選択手段と、前記第１の記録再生手段で再生された信号または前記撮像手段で撮像した信号を表示する第１の表示手段と、前記第２の記録再生手段で再生された信号または前記撮像手段で撮像した信号を表示する第２の表示手段とを備え、前記第１の記録媒体から画像信号を再生し第１の表示手段に表示するのと同時に、前記第２の記録媒体に前記撮像手段からの画像信号を記録するとともに第２の表示手段に表示可能なことを有している。
【００１６】
この構成によって、カード７に記録された映像を再生し画像表示部５にそれを表示すると同時に、撮像部１で捕らえた映像を画像表示部６で確認しながらテープ８へ磁気記録できるようにした撮像装置が得られる。
【００１７】
【発明の実施の形態】
本発明の請求項１に記載の発明は、第１及び第２の記録媒体に信号を記録再生可能な撮像装置であって、被写体映像を撮像する撮像手段と、前記第１の記録媒体に信号を記録再生する第１の記録再生手段と、前記第２の記録媒体に信号を記録再生する第２の記録再生手段と、前記撮像手段からの信号を前記第１または第２の記録再生手段に選択的に出力する選択手段と、前記第１の記録再生手段で再生された信号または前記撮像手段で撮像した信号を表示する第１の表示手段と、前記第２の記録再生手段で再生された信号または前記撮像手段で撮像した信号を表示する第２の表示手段とを備え、前記第１の記録媒体から画像信号を再生し第１の表示手段に表示するのと同時に、前記第２の記録媒体に前記撮像手段からの画像信号を記録するとともに第２の表示手段に表示可能なことを備えたものであり、カード記録再生部は、カード再生時に画像表示部へ単独で再生映像信号を送るようになっているとともに、磁気記録再生部は磁気記録時に記録画像を画像表示部へ送ることも同時にできるようになっていることにより、この構成によって、カードに記録された映像を再生し画像表示部にそれを表示すると同時に、撮像部で捕らえた映像をもうひとつの画像表示部で確認しながら磁気記録できるという作用を有する。
【００１８】
以下、本発明の実施の形態について、図１を用いて説明する。
【００１９】
（実施の形態１）
図１は本発明の実施の形態である撮像装置のブロック図である。
【００２０】
図１において、１はレンズや絞りや固体撮像素子などからなる撮像手段である撮像部で、入射される被写体の光学信号を電気信号（映像信号）に変換して出力している。２は撮像部１から出力される映像信号をカード７に記録したりカード７から映像信号を再生可能な第１の記録再生手段であるカード記録再生部で、カード７に記録再生可能なデータは動画でも静止画でもよい。３は撮像部１からの映像信号をテープ８に記録したりテープ８から映像信号を再生する第２の記録再生手段である磁気記録再生部で、記録再生されるデータは主に動画であるが静止画であってもよい。またテープ８に記録する信号を映像信号に特定したが、音声信号を含むものでもよい。
【００２１】
１０はカード記録再生部２から出力される映像信号を第１の画像表示部５に対して表示制御する第１の表示制御部、５は第１の画像表示部で、ビデオカメラで例えれば、大型の液晶表示部に相当する。６は第２の画像表示部で、ビデオカメラで例えれば電子ビューファインダに相当する。なお第１の画像表示部５を電子ビューファインダ、第２の画像表示部６を液晶表示部としてもよい。１３は磁気記録再生部３から出力される映像信号を第２の画像表示部６に対して表示制御する第２の表示制御部である。なお、第１の表示部５と第１の表示制御部１０とで第１の表示手段を構成し、第２の表示部６と第２の表示制御部１３とで第２の表示制御手段を構成している。
【００２２】
７は映像信号などを記録再生可能な第２の記録媒体であるメモリカードからなるカード、８は映像信号などを記録再生可能なテープ状の第２の記録媒体であるテープである。本実施の形態では、第１の記録媒体をカード７、第２の記録媒体をテープ８としたが、第１の記録媒体をテープ、第２の記録媒体をカードとしてもよいし、第１と第２の記録媒体の両方をテープまたはカードとしてもよい。９は撮像部１で捕らえた映像をカード記録再生部２を通さず磁気記録再生部３へ伝送するための信号切換え部である。１１はカード７の記録／再生やテープ８の記録／再生を操作指示可能な操作部、１２は操作部１１で入力された操作指示に基づき信号切換部９のＡ／Ｂ切り換え、およびカード記録再生部２と磁気記録再生部３に対して記録／再生制御を行う制御部である。
【００２３】
なお、本実施の形態において、カード記録再生部２から出力される信号は第１の表示制御部１０に出力され、磁気記録再生部３から出力される信号は第２の表示制御部１３に出力される構成としたが、図中点線矢印にて示すように、カード記録再生部２から出力される信号を第２の表示制御部１３へ出力し、磁気記録再生部３から出力される信号を第１の表示制御部１０へ出力する構成としてもよい。なおかつ、前述の出力先をカード記録再生部２及び磁気記録再生部３内で各々切り換える構成としてもよい。
【００２４】
以上のように構成された本実施の形態の撮像装置について、図面を用いてその動作を説明する。
【００２５】
撮像装置の一例としてビデオカメラを用いて、基本構成を説明する。図３はビデオカメラの外観構成を示す斜視図である。図３において、３１はビデオカメラ本体、３２はビデオカメラ本体３１に対して開閉自在に設けられた第１の表示部である液晶表示部（以下、ＬＣＤと記す）で、一般には２〜４型程度の大型の液晶画面が設けられている。３３はビデオカメラ本体３１に対して収納自在に設けられた第２の表示部である電子ビューファインダ（以下、ＥＶＦと記す）で、一般にはＬＣＤ３２よりも小型の液晶表示画面が設けられている。これらＬＣＤ３２とＥＶＦ３３には映像信号を表示することができる。このように、近年の一般的なビデオカメラには、表示部が２個設けられており、用途に応じて選択使用することができるようになっている。
【００２６】
なお、本例ではビデオカメラを用いて説明したが、デジタルスチルカメラであってもよい。また、本実施の形態では、ＬＣＤ３２は図１の第１の表示部５、ＥＶＦ３３は図１における第２の表示部６に相当する。あるいはそれぞれが逆でもよい。
【００２７】
次に、図１を用いて記録再生動作に伴う表示動作について説明する。
【００２８】
入射される被写体の光学信号は撮像部１に入力され、撮像部１で電気信号（映像信号）に変換され、信号切換部９に出力される。一方で、操作部１１において、モードＡ〜Ｃの３段階のモードを選択可能となっている。モードＡは、カード７を再生状態にしテープ８を記録状態にしているモード。モードＢは、カード７もテープ８も再生状態にしているモード。モードＣは、カード７を記録状態にしテープ８を再生状態にしているモードである。操作部１１では、これらモードＡ〜Ｃをスイッチやレバーなどで切り換え操作可能となっている。
【００２９】
まず、操作部１１においてモードＡが選択されている場合、制御部２１により信号切換え部９がＢ側へ切換えられ、カード記録再生部２を再生状態、磁気記録再生部３を記録状態にする。すると、信号切換部９のＢ側端子から出力された信号は、磁気記録再生部３へ伝送されテープ８に対して磁気記録されるとともに、記録中の映像信号を第２の表示制御部１３に出力して、第２の画像表示部５（ＥＶＦ）で表示される。
【００３０】
一方、カード記録再生部２では、カード７に予め記録されている映像信号を再生し、第１の表示制御部１０を経由して第１の画像表示部５（ＬＣＤ）に表示される。この時、カード７に記録された映像信号のうち所望の画像を選択するには、操作部１１を操作して選択する構成としてもよい。
【００３１】
このように動作するモードＡを用いることで、撮像している画像を第２の画像表示部１３に表示させながらテープ８に記録するとともに、カード７から画像を再生して第１の画像表示部５に表示させることができるので、例えば、幼い子供を撮影する際に、子供が好きな画像をカード７から再生して第１の画像表示部５に表示させ、前記子供がその画像に注目している状態で、撮像した画像信号をテープ８に記録することができる。
【００３２】
次に、操作部１１においてモードＢが選択されている場合、制御部２１により信号切換え部９はＡまたはＢ側のいずれか一方（どちらでもよい）へ接続され、カード記録再生部２を再生状態、磁気記録再生部３を再生状態にする。すると、カード７からカード記録再生部２により再生された映像信号は、第１の表示制御部１０によって第１の画像表示部５（ＬＣＤ）に表示される。また、磁気記録再生部３によりテープ８から再生された映像信号は第２の表示制御部１３に出力され、第２の表示制御部１３により第２の画像表示部６（ＥＶＦ）で表示される。
【００３３】
このように動作するモードＢを用いることで、テープ８に記録された映像信号と、カード７に記録された映像信号とを、同時に再生し同時に表示させることができる。
【００３４】
次に、操作部１１においてモードＣが選択されている場合、制御部２１により信号切換え部９がＡ側へ切換えられ、カード記録再生部２を記録状態、磁気記録再生部３を再生状態にする。すると、信号切換部９のＡ側端子から出力された信号は、カード記録再生部２へ伝送されカード７に対して記録されるとともに、記録中の映像信号を第１の表示制御部１０に出力して、第１の画像表示部５（ＥＶＦ）で表示される。
【００３５】
一方、磁気記録再生部３では、テープ８に予め記録されている映像信号を再生し、第２の表示制御部１３を経由して第２の画像表示部６（ＬＣＤ）に表示される。
【００３６】
このように動作するモードＣを用いることで、撮像している画像を第１の画像表示部１０に表示させながらカード７に記録するとともに、テープ８から画像を再生して第２の画像表示部６に表示させることができる。
【００３７】
ちなみに、信号切換え部９がＡ側へ切換えられた状態で、撮像部１でとらえた画像を画像表示部５または６へ表示しながら、カード７またテープ８へ記録している状態が従来の状態に相当する。以上の実施の形態をまとめると下記のようになる。
【００３８】
【表１】
2004320505.tif 000003
【００３９】
以上のように本実施の形態によれば、カード７に蓄えられた画像を第１の画像表示部５に表示しながら、撮像部１で撮像された被写体の映像を第２の画像表示部６に表示しながら磁気記録することができる。また、カード７に記録された映像信号を第１の画像表示部５に表示させ、テープ８に記録された映像信号を第２の画像表示部６に表示させることもできる。さらに、テープ８に記録された映像信号を再生して第２の画像表示部６に表示させ、撮像部１で撮像された被写体映像をカード７に記録するとともに第１の画像表示部５に表示させることができる。
【００４０】
【発明の効果】
以上のように本発明は、カードに記録された映像を再生し画像表示部にそれを表示すると同時に、撮像部で捕らえた映像をもうひとつの画像表示部で確認しながら磁気記録できるという優れた効果が得られる。撮影者自身がカードに蓄えられた情報（シナリオやプログラム）を見ながら撮影することや、被写体となる人にカードの内容（赤ちゃんが被写体の場合、興味を引く映像など）を見てもらいながら、かつ、撮影者が被写体を確認しつつ撮影することができるなどビデオカメラの使い方を広げるものである。
【図面の簡単な説明】
【図１】本発明の実施の形態１における撮像装置のブロック図
【図２】従来の撮像装置のブロック図
【図３】撮像装置の一例であるビデオカメラの外観斜視図
【符号の説明】
１  撮像部
２  カード記録再生部
３  磁気記録再生部
４  表示制御部
５  第１の画像表示部
６  第２の画像表示部
７  カード
８  テープ
９  信号切換え部
１０  第１の表示制御部
１１  操作部
１２  制御部
１３  第２の表示制御部
【図１】
2004320505.tif 000004
【図２】
2004320505.tif 000005
【図３】
2004320505.tif 000006